(57)【要約】【課題】放電路長の増大を図れると共に、発光管を確実に保持して保持強度を高くすることが可能な電球形蛍光ランプおよびこの蛍光ランプを用いた照明器具を提供する。【解決手段】一端に口金１を備えたカバー２と；基端部の開口端部６ｄがカバーに取り付けられ、頂端部側に最大径部６ｃを有し開口端部側に最大径部より縮径した縮径部６ｅを形成したグローブ６と；グローブ内に収容された一対の電極４ｑ、４ｒを有するバルブ４ｄからなり、このバルブがグローブの最大径部を含む頂端部側に位置して螺旋形に形成された螺旋形部４ａ、この螺旋形部に連接されグローブの縮径部側に位置して螺旋形部よりも放電路が短い一対の短放電路部４ｂ、４ｃを備えた発光管４と；発光管とグローブ内面との間に設けられた発光管外面を保持する保持部材６ｆ、６ｇと；カバーに取付けられた点灯装置５と；を具備した構成とする。【選択図】        図１
2008059899.tif 000002
【特許請求の範囲】
【請求項１】
一端に口金を備えたカバーと；
基端側の開口端部がカバーに取り付けられ、頂端部側に最大径部を有し開口端部側に最大径部より縮径した縮径部を形成したグローブと；
グローブ内に収容された一対の電極を有するバルブからなり、このバルブがグローブの最大径部を含む頂端部側に位置して螺旋形に形成された螺旋形部、この螺旋形部に連接されグローブの縮径部側に位置して螺旋形部よりも放電路が短い一対の短放電路部を備えた発光管と；
発光管とグローブ内面との間に設けられた発光管外面を保持する保持部材と；
カバーに取付けられた点灯装置と；
を具備していることを特徴とする電球形蛍光ランプ。
【請求項２】
前記発光管はグローブの縮径部より径大な螺旋径部を少なくとも一部に有して螺旋形に形成された螺旋形部を有し、保持部材は発光管の径大な螺旋径部に対向してグローブ内面に一体的に形成したことを特徴とする請求項１に記載の電球形蛍光ランプ。
【請求項３】
一端に口金を備えたカバーと；
基端側の開口端部がカバーに取り付けられ、頂端部側に最大径部を有し開口端部側に最大径部より縮径した縮径部を形成したグローブと；
グローブ内に収容された一対の電極を有するバルブからなり、このバルブがグローブの最大径部を含む頂端部側に位置してグローブの縮径部より径大な螺旋径部を少なくとも一部に有する螺旋形に形成された螺旋形部、この螺旋形部に連接されグローブの縮径部側に位置して螺旋形部よりも放電路が短い一対の短放電路部を備えた発光管と；
グローブ内面から突出するように一体的に設けられ発光管の螺旋形部の頂部を保持する保持部材と；
カバーに取付けられた点灯装置と；
を具備していることを特徴とする電球形蛍光ランプ。
【請求項４】
ソケットが設けられた器具本体と；
この器具本体のソケットに装着された請求項１ないし３のいずれか一記載の電球形蛍光ランプと；
を具備していることを特徴とする照明器具。
【発明の詳細な説明】
【技術分野】
【０００１】
本発明は、電球形蛍光ランプおよびこの蛍光ランプを用いた照明器具に関する。
【背景技術】
【０００２】
白熱電球などの一般照明用電球のソケットに装着可能な口金にホルダが設けられ、このホルダにガラス管バルブを曲成して形成した蛍光ランプおよび点灯装置が取付けられると共に、この蛍光ランプをグローブで覆った電球形蛍光ランプが知られている。
【０００３】
従来の電球形蛍光ランプは、下記の特許文献１に示されるように、Ｕ字形に屈曲されたバルブを有する発光管、一端に口金を取り付け他端側で発光管を支持するカバー、このカバー内に収容される点灯装置、発光管を覆いカバーの他端側に取り付けられるグローブ等を有している。
【０００４】
近年では、さらに小型化を図るために、グローブ内の狭い空間内に配置される発光管を螺旋状に屈曲形成して放電路長の増大を図ったものが提案されている（例えば、特許文献２、３参照）。
【特許文献１】特開２０００−２１３５１号公報
【特許文献２】特開２００３−２６３９７２号公報
【特許文献３】特開２００３−３１１７９号公報
【発明の開示】
【発明が解決しようとする課題】
【０００５】
しかしながら、上記特許文献１ないし３などに示されるＵ字形または螺旋形の発光管を有する電球形蛍光ランプでは、発光管の終端部をカバー内に延在させてカバー内のホルダで支持する構成のため、カバーが大型化する問題が生じる。
【０００６】
特に、このカバーが大型化すると、白熱電球など一般照明用電球のシルエットに近似させる際に、白熱電球の細い根元部に対応する部分が太くなり、白熱電球に置き換えて使用することを目的とした電球形蛍光ランプの小型化のための最大の課題となっている。
【０００７】
さらに、カバーは発光管の光を透過させないために発光しない部分であり、発光管を支持するホルダの幅寸法が大きいとホルダの方向に照射された光が十分に反射されずに損失となり発光効率が低下し易くなる問題がある。
【０００８】
これに対し、図６に示す電球形蛍光ランプが提案されている。この電球形蛍光ランプは、螺旋形部３０に連接して直線状の放電路３１、３１を形成してホルダ３２に支持されているので、根元部Ｎを細く形成することができ、白熱電球の細い根元部に近似させる形状に構成することができる。
【０００９】
この螺旋形部３０は円錐台形状をなし、下方に連接して直線状の放電路３１、３１を形成した、全体が略キノコ形をなした形状に構成されている。
【００１０】
このため、発光管の重心が螺旋形部側に位置する構成となり、例えばランプを誤って落下させてしまった場合などに、発光管の先端部分が大きく振動してグローブ内面に発光管が接触したり、万一の場合には発光管が破損する恐れがあるので、発光管の保持強度をさらに改善する余地があった。
【００１１】
本発明は、上記課題に対処するためになされたもので、放電路長の増大を図れると共に、発光管を確実に保持して保持強度を高くすることが可能な電球形蛍光ランプおよびこの蛍光ランプを用いた照明器具を提供することを目的とする。
【課題を解決するための手段】
【００１２】
本発明の請求項１に記載の電球形蛍光ランプは、一端に口金を備えたカバーと；基端側の開口端部がカバーに取り付けられ、頂端部側に最大径部を有し開口端部側に最大径部より縮径した縮径部を形成したグローブと；グローブ内に収容された一対の電極を有するバルブからなり、このバルブがグローブの最大径部を含む頂端部側に位置して螺旋形に形成された螺旋形部、この螺旋形部に連接されグローブの縮径部側に位置して螺旋形部よりも放電路が短い一対の短放電路部を備えた発光管と；発光管とグローブ内面との間に設けられた発光管外面を保持する保持部材と；カバーに取付けられた点灯装置と；を具備していることを特徴とする。
【００１３】
本発明において、発光管はグローブ内に収容され覆われているので、白熱電球など一般照明用電球と近似、または同一形状にまで小型化が可能な電球形蛍光ランプが構成される。
【００１４】
発光管の螺旋形部は、外観形状を白熱電球のシルエットに近似させるために、グローブの最大径部を含む頂端部側に位置してグローブの縮径部より径大な螺旋径部を少なくとも一部に有する略円錐台形の螺旋形が好ましいが、例えば、特許文献２に示されるような等しい螺旋径を有する円筒状をなす螺旋形体でも、特許文献３に示されるような略球状をなす螺旋形体であってもよい。
【００１５】
短放電路部は、１本または一対２本等、複数本のバルブで構成しても、さらに直線形状または曲線状のバルブから構成してもよい。
【００１６】
保持部材は、発光管とグローブ内面との間に設けられ発光管外面を保持するもので、発光管の螺旋形部とグローブ内面との間に設けて、発光管外面を保持することが好ましいが、螺旋形部以外、例えば、短放電路部とグローブ内面との間に設けて、発光管外面を保持するようにしてもよい。
【００１７】
また、保持部材の形状は、発光管から放射される光を極力遮らないように小さく、かつ薄く形成することが好ましいが、設計上許容される全ての形状、大きさの部材が許容される。
【００１８】
材質は、例えば、シリコーン樹脂等の透明で柔軟性を有するもので構成されていることが好ましいが、透明で柔軟性を有することが条件ではなく、半透明または不透明で柔軟性のない合成樹脂、合成ゴム、天然ゴム、さらにはアルミニウム等の金属等で構成してもよい。
【００１９】
また、保持部材は、発光管の径大な最大径部および頂部に対向してグローブ内面に一体的に形成することが好ましいが、発光管の最大径部に対向する部分にのみ形成しても、頂部に対向する部分にのみ形成してもよい。さらに、グローブまたは発光管とは別体に構成した部材で構成してもよい。
【００２０】
グローブは、透光性の合成樹脂やガラスなどの材料で作られ、要求される特性に応じ無色透明、着色または拡散などの手段が施されていてもよく、配光特性向上のためグローブなど、一部に反射膜などの反射手段が形成されていてもよい。
【００２１】
グローブの形状は、白熱電球など一般照明用電球のバルブと同じ外観形状を有するＡ形、Ｓ形、ＰＳ形などの通常涙滴形と呼ばれている形状やＧ形の球形をなすバルブと、同形ないしは略同形をなす類似形状である。また、このグローブ内に配設されるバルブの連続した仮想外形は、このグローブと略同形の涙滴形ないしは球形をなすグローブ内面に沿って折り返されることでＵ字管を接続して組合わせた従来のバルブよりも比較的長い放電路が得られるので発光効率が向上する。
【００２２】
本発明によれば、発光管は、螺旋形部、この螺旋形部に連接されグローブの縮径部側に位置して螺旋形部よりも放電路が短い一対の短放電路部を有することにより放電路長の増大を図ることができる。
【００２３】
また、発光管とグローブ内面との間に設けられた発光管外面を保持する保持部材により発光管の保持強度を確実に高くすることが可能となる。
【００２４】
請求項２に記載の電球形蛍光ランプは、請求項１に記載の電球形蛍光ランプにおいて、前記発光管はグローブの縮径部より径大な螺旋径部を少なくとも一部に有して螺旋形に形成された螺旋形部を有し、保持部材は発光管の径大な螺旋径部に対向してグローブ内面に一体的に形成したことを特徴とする。
【００２５】
請求項３に記載の電球形蛍光ランプは、一端に口金を備えたカバーと；基端側の開口端部がカバーに取り付けられ、頂端部側に最大径部を有し開口端部側に最大径部より縮径した縮径部を形成したグローブと；グローブ内に収容された一対の電極を有するバルブからなり、このバルブがグローブの最大径部を含む頂端部側に位置してグローブの縮径部より径大な螺旋径部を少なくとも一部に有する螺旋形に形成された螺旋形部、この螺旋形部に連接されグローブの縮径部側に位置して螺旋形部よりも放電路が短い一対の短放電路部を備えた発光管と；グローブ内面から突出するように一体的に設けられ発光管の螺旋形部の頂部を保持する保持部材と；カバーに取付けられた点灯装置と；を具備していることを特徴とする。
【００２６】
請求項４に記載の照明器具は、ソケットが設けられた器具本体と；この器具本体のソケットに装着された請求項１ないし３のいずれか一記載の電球形蛍光ランプと；を具備していることを特徴とする。
【００２７】
本発明の照明器具は、上記請求項１ないし３のいずれか一記載の電球形蛍光ランプを用いているので、器具の配光を白熱電球など一般照明用電球の配光に近似または同一となすことができる。
【００２８】
器具本体は天井直付形、天井吊下形または壁面取付形などであって、本体に制光体としてグローブ、セード、反射体などが取付けられるものであっても、蛍光ランプが露出するものであってもよい。
【００２９】
また、照明器具は器具本体に１個の電球形蛍光ランプを取付けたものに限らず、複数個の蛍光ランプが配設されるものであってもよい。
【発明の効果】
【００３０】
請求項１記載の発明によれば、螺旋形部に連接されグローブの縮径部側に位置して螺旋形部よりも放電路が短い一対の短放電路部を備えた発光管により放電路長の増大を図ることができ、さらに、発光管とグローブ内面との間に設けられた発光管外面を保持する保持部材により、発光管の保持強度を確実に高くすることが可能な電球形蛍光ランプを提供することができる。
【００３１】
請求項２記載の発明によれば、発光管はグローブの縮径部より径大な螺旋径部を少なくとも一部に有して螺旋形に形成された螺旋形部を有し、保持部材は発光管の径大な螺旋径部に対向してグローブ内面に一体的に形成したので、簡易な構成で発光管の保持強度を確実に高くすることが可能な電球形蛍光ランプを提供することができる。
【００３２】
請求項３記載の発明によれば、螺旋形部に連接されグローブの縮径部側に位置して螺旋形部よりも放電路が短い一対の短放電路部を備えた発光管により放電路長の増大を図ることができ、さらに、グローブ内面から突出するように一体的に設けられ発光管の螺旋形部の頂部を保持する保持部材により発光管の保持強度を確実に高くすることが可能な電球形蛍光ランプを提供することができる。
【００３３】
特に、グローブ内面から一体的に突出した保持部材により、組み立てが容易になり、さらに発光管の頂部を保持部材が保持するので、発光管の中心軸を固定することができ、安定した保持を行うことができる。
【００３４】
請求項４記載の発明によれば、照明器具は、請求項１ないし３のいずれか一記載の電球形蛍光ランプを用いているので、器具の配光を白熱電球など一般照明用電球の配光に近似または同一となすことができ、照明器具内に配置されたソケット近傍の反射体への光の照射量が充分に確保され、反射体の光学設計とおりの器具特性を得ることができる。
【発明を実施するための最良の形態】
【００３５】
以下本発明に係る電球形蛍光ランプおよびこの蛍光ランプを用いた照明器具の実施形態について説明する。
【実施例１】
【００３６】
本発明の第１の実施形態を、図面を参照して説明する。図１〜図４は第１の実施形態を示し、図１は電球形蛍光ランプを示し、（ａ）は正面視の縦断面図、（ｂ）は（ａ）におけるＡ部を拡大して示す図、（ｃ）は（ｂ）を上方から見て示した図、図２は同じく電球形蛍光ランプを示し、（ａ）は図１（ａ）における左側面視の縦断面図、（ｂ）は（ａ）におけるＢ部を拡大して示す図、図３は発光管を示し、（ａ）は正面図、（ｂ）はグローブと発光管の関係を下方から見て示した図、図４は変形例を示し、（ａ）は第1の変形例を示す正面視の縦断面図、（ｂ）は（ａ）のＢ部を拡大し上方から見て示した図、（ｃ）は（ａ）のＣ部を拡大して示す図である。
【００３７】
本実施例は、例えば定格ランプ電力が１０Ｗの電球形蛍光ランプＬ１で、Ｅ型と呼ばれるねじ込み形の口金１、この口金に一端側を接着剤や、かしめなどの手段で固定されたカバー２、このカバー内に固定されたホルダ３、ホルダに支持され蛍光ランプを構成する発光管４、カバー２内に設けられた点灯装置５、発光管４を覆うグローブ６などからなる。
【００３８】
なお、以下、発光管４を上側、口金１を下側にして説明する。
【００３９】
この発光管４は、上部に形成された螺旋形部４ａと、下部に形成された略直線形状をなす一対２本の短放電路部４ｂ、４ｃとを有し、これらを一体に連接して構成する。
【００４０】
螺旋形部４ａは、管外径が６〜９ｍｍ、例えば、８．５ｍｍの直状円管状のガラスバルブ４ｄを、ほぼ等分の２つ折りに折曲し、その等分位置の折返し部４ｆを頂部として、図示しない金型に巻き付けて、異なる径の重ね合わせで、同心軸上に広がりをもった略円錐台形状の２重螺旋形にモールド成形する。
【００４１】
より詳細には、図３に示すように螺旋形部４ａは、ガラスバルブ４ｄの一方の端部４ｇから螺旋形部の旋回軸ｏ−ｏ（以下「ランプ軸ｏ−ｏ」と称する）回りに螺旋径を順次縮小し旋回しながら上方の頂部である折返し部４ｆに至る第１の旋回部Ａと、この折返し部４ｆの他端から旋回軸ｏ−ｏ回りに螺旋径を順次拡大し旋回しながら他方の端部４ｈに至る第２の旋回部Ｂとを有する２重螺旋形状を有するように、例えば、ほぼ２周旋回（ターン数）している。
【００４２】
これにより、螺旋形部４ａは、外側の仮想形状が略円錐台形をなし、螺旋形部には、その下方に径大な螺旋径部からなる最大径部４ｉを有する形状に構成され、かつこれら螺旋形状により放電路が長い長放電路を有して形成される。
【００４３】
この螺旋形部４ａは、発光管４がグローブ６内に収容された際に、グローブの最大径部６ｃを含む頂端部側に位置して配置され、最大径部４ｉはグローブ６の縮径部６ｅより径大な螺旋径部を構成している。
【００４４】
さらに、２重螺旋形状の螺旋終端部から、ガラスバルブ４ｄの両端部４ｇ、４ｈを、ランプ軸ｏ−ｏに略平行に下方に向けて略直角に折曲げ、螺旋形部４ａより放電路が短い略直線形状をなす一対２本の短放電路部４ｂ、４ｃを形成し、ガラスバルブ４ｄの短放電路部４ｂ〜螺旋形部４ａ〜短放電路部４ｃに至る、より一層長い１本の連通した放電路が形成される。
【００４５】
この一対の短放電路部４ｂ、４ｃは、発光管４がグローブ６内に収容された際に、グローブの縮径部６ｅ側に位置して配置されるように、一対の短放電路部の外側が描く仮想円形の直径Φ２（図３（ａ））が、螺旋形部４ａにおける最大径部４ｉの直径Φ１よりも小さくなるように形成する。
【００４６】
上記に構成されたガラスバルブ４ｄの両端部となる、短放電路部４ｂ、４ｃの両端部４ｇ、４ｈに一対の電極４ｑ、４ｒを、それぞれ封装して電極封止端部４ｓ、４ｔを形成する。
【００４７】
一対の電極４ｑ、４ｒは、例えばタングステン製のフィラメントコイル電極が使用されており、例えばビーズガラスにより仮止めされた状態でガラスバルブ４ｄ両端部の電極封止端部４ｓ、４ｔに封着される。
【００４８】
ガラスバルブ４ｄは、その内面に希土類等の蛍光体膜をほぼ全長に亘って形成し、内部にはアルゴンやクリプトン等の放電媒体が封入されており、一対の電極封止端部４ｓ、４ｔの下面には、その内部に連通する細管４ｕ、４ｖが突設され、細管内には水銀またはアマルガムが収容されている。
【００４９】
なお、螺旋形部４ａの頂部である折返し部４ｆは、そのガラスバルブ直径を第１、第２の旋回部Ａ、Ｂの直径よりも大径の膨出部に形成し、この膨出部から排気用の細管４ｗが突設されている。なお、この膨出部に最冷部を形成するようにしてもよい。また、細管４ｗ内に水銀またはアマルガムを収容するようにしてもよい。
【００５０】
上記により、径大な螺旋径部からなる最大径部４ｉを有する略円錐台形の螺旋形部４ａと、螺旋形部の下部、換言すれば、白熱電球の根元部Ｎに対応する位置に、一対の短放電路部４ｂ、４ｃを有し、外側全体の仮想外形が略キノコ形をなす発光管４が構成される。
【００５１】
このように構成された発光管４の具体構成の一例は、次の通りである。（図２（ａ））
すなわち、電球形蛍光ランプＬ１の定格は１０Ｗで、発光管４は最大径部４ｉの直径寸法Φ１が５０ｍｍ、高さ寸法ｈ１が約６４ｍｍ、最大径部４ｉの水平中心軸から一対の電極封止端部４ｓ、４ｔの下面までの高さ寸法ｈ２が約４０ｍｍである。
【００５２】
一対の電極４ｑ、４ｒ間の放電路長は２００〜４００ｍｍであり、ガラスバルブ４ｄの管外径に応じて相違する。例えばガラスバルブの管外径が８ｍｍのとき、放電路長が３５０ｍｍ、管外径が９ｍｍのとき放電路長が３２０ｍｍである。
【００５３】
上記のように構成された略キノコ形をなす発光管４は、口金１に固定されたカバー２内のホルダ３に支持される。
【００５４】
口金１は、図１、２に示すように、エジソンタイプのＥ２６形などで、ねじ山を備えた筒状のシェル１ａ、このシェルの一端側の頂部に絶縁部１ｂを介して設けられたアイレット１ｃを備えている。
【００５５】
シェル１ａは、銅板等の導電性の金属で構成され、その他端側をカバー２の一端部に被せてシリコーン樹脂等の耐熱性の接着剤またはかしめなどの手段により固定されている。
【００５６】
カバー２は、例えばポリブチレンテレフタレート（ＰＢＴ）などの耐熱性合成樹脂材料により開口部と円筒体部を一体に形成したカバー本体２ａを有し、カバー本体の下端側に口金１のシェル１ａが取り付けられ、カバー本体の上端側には、取付端部である環状の開口取付端部２ｂが形成されている。
【００５７】
カバー２の開口取付端部２ｂは、下方に向けて漸次縮径する逆円錐台状部となして、後述するグローブ６の基端側の開口端部６ｄを嵌合するように構成する。
【００５８】
この開口取付端部２ｂ内には、カバー本体２ａの開口部と円筒体部との連結部内側の環状凸状段部２ｃ上にて、ホルダ３の開口部の開口下端を載置して固着している。
【００５９】
すなわち、ホルダ３は、例えばポリブチレンテレフタレート（ＰＢＴ）などの耐熱性合成樹脂材料により有蓋円筒状に形成され、その蓋体をなす円板状の基板部３ａの下面周縁部に、下端側に突出する円筒状の円筒部３ｂを一体に形成し、この円筒部の開口下端を、カバー本体の環状凸状段部２ｃ上に載置して、シリコーン樹脂等の耐熱性の接着剤により固着している。
【００６０】
ホルダ３は、基板部３ａ上に発光管４を載置させて支持する。すなわち、略キノコ形をなす発光管４の螺旋形部４ａの根元部に対応する位置に設けられた一対の短放電路部４ｂ、４ｃの下端部を載置させて支持する凹部と、これら発光管の下端部同士の間隙内に突出して、その径方向のずれを規制する筒状突部３ｃを突設している。
【００６１】
さらに基板部３ａには、その筒状突部３ｃの外側に挿通孔をそれぞれ形成し、これら挿通孔には、発光管４の一対の電極封止端部４ｓ、４ｔからその外方に突出する細管４ｕ、４ｖと図３（ａ）に示すアウターワイヤ４ｘ、４ｙをそれぞれ挿通させ、シリコーン樹脂等の耐熱性の接着剤により固着させ、ホルダ３の基板部３ａ上に発光管４を固定して支持する。
【００６２】
なお、これらカバー２とホルダ３は別体に構成したが、合成樹脂により一体に形成してもよい。
【００６３】
点灯装置５は、図１、２に示すように、発光管４を点灯制御するための点灯回路パターンを形成した回路基板５ａを、縦方向にして口金１内面の一対の縦溝２ｄ、２ｄ内に嵌入し固定している。
【００６４】
すなわち、口金１内のカバー２内面に、その直径方向で対向する一対の縦溝２ｄ、２ｄを口金の軸方向に形成し、この縦溝内に回路基板５ａを縦方向にして幅方向両側縁部を嵌入させて固定している。
【００６５】
回路基板５ａには、片面または両面に回路パターンが形成され、その実装面には、電解コンデンサ等のリード部品やトランジスタ等のチップ部品等、点灯回路を構成するための複数の電子部品５ｂ・・・が実装されている。
【００６６】
次に、グローブ６は、白熱電球など一般照明用電球などに用いられている横断面が円形のＰＳ形（Ｐｅａｒ  ｓｈａｐｅ  ｔｙｐｅ）バルブの形状をなし、発光管４を覆うように透光性の合成樹脂材料、例えば、透光性のポリカーボネートなどの材料を用い透明または光拡散性を有する乳白色、ここでは乳白色の白熱電球など、一般照明用電球におけるガラス球形状の滑らかな曲面状に形成されている。
【００６７】
すなわち、頂端部側に最大径部６ｃを有する略球状に形成された球状部６ａと、基端側の開口端部６ｄ側に球状部の最大径部の直径よりも小径に漸次縮径された縮径部６ｅからなる略円筒状の根元部６ｂを一体に形成する。なお、最大径部６ｃの外径Ｄ１は約５５ｍｍである。
【００６８】
グローブ６の内側面には、発光管４の螺旋形部４ａの最大径部４ｉに対向して発光管外面を保持する保持部材６ｆを、また頂端部の内面には保持部材６ｇを一体的に形成する。
【００６９】
グローブ６の内側面に形成される保持部材６ｆは、柔軟性を有するひだ状の薄片をグローブ６の成形時に一体に形成する。
【００７０】
このひだ状の保持部材６ｆは、グローブの内側面の周面方向に等間隔（約９０°の間隔）で、かつ横断面円形のグローブの中心に向かって放射状に一体に４個形成する。（図３（ｂ））
また、頂端部の内面に形成される保持部材６ｇは、中心に凹部６ｈを形成した突出部６ｉを、同様にグローブ６の成形時に一体に形成する。（図２（ｂ））
【００７１】
これにより、後述するようにグローブ内に発光管を収容した状態で、各保持部材６ｆの柔軟性を有するひだ状部分の先端が発光管の最大径部４ｉの外面に当接し、発光管外面を周囲４箇所で弾性をもって保持する。
【００７２】
同時に、発光管４頂部の膨出部に形成された排気用の細管４ｗの先端が、頂端部の内面に形成された保持部材６ｇの凹部６ｈ内に嵌合されて保持され、発光管の外面は周囲方向４箇所と頂部の計５箇所で確実に保持される。（図２（ｂ））
なお、保持部材６ｇの凹部６ｈにシリコーン樹脂等の透明な接着剤を塗布して、嵌合された細管ｗの先端部を接着してより確実に保持するようにしてもよい。
【００７３】
グローブ６の根元部６ｂは、グローブの基端側に開口端部６ｄが形成され、この開口端部の縁部がカバー２の開口取付端部２ｂの内側に嵌合されて、例えばシリコーン樹脂やエポキシ樹脂などの耐熱性の接着剤により固定されている。
【００７４】
そして、このグローブ６は、図３（ｂ）に示すように、発光管のランプ軸ｏ−ｏを通る中心線Ｏａ―Ｏａ（以下「分割線Ｏａ―Ｏａ」と称す）上で、図２中左半分６Ｘ１と右半分６Ｘ２とに縦割りで２分割された等分した形状で、その端面の周縁部に接合部６ｊ、６ｋが形成される金型を用い成形されたものであって、この成形部材を２個１組として相互の接合部を合致させて構成する。
【００７５】
この際、頂端部の内面に形成される保持部材６ｇは、凹部６ｈの中心が分割線Ｏａ―Ｏａ上に位置するようにして半分ずつが一体に成形され、分割されたグローブが組み合わされるときに、半分ずつの半円形凹部が組み合わされて円形の凹部６ｈが形成されるように構成する。（図２（ｂ））
上記構成のグローブ６が、例えば非分割の一体成形品で形成されている場合には、発光管４の最大径部４ｉの外径Φ１の方がグローブの開口端部６ｄの開口径よりも大きいので、この開口端部から発光管を挿入することができない。
【００７６】
しかし、このグローブ６はその分割線Ｏａ―Ｏａで左右に分割されているので、発光管４をホルダ３に支持して設立した後、この発光管の外側を、その両側面からグローブの左、右半分６Ｘ１、６Ｘ２によりそれぞれ被せ、これら左、右半分６Ｘ１、６Ｘ２の接合部６ｊ、６ｋを一体に突き合わせた状態でカバー２に取り付けることができる。
【００７７】
グローブ６がポリカーボネート等の透光性樹脂製の場合には、接合部位６ｊ、６ｋを超音波溶着によって接合することでグローブの分割体である左、右半分６Ｘ１、６Ｘ２をさらに一体に突き合わせることができる。
【００７８】
なお、グローブ６の外面に、所定形状の図示省略した袋状の熱収縮フィルムを被せ、この熱収縮フィルムを熱収縮させることにより、グローブの左、右半分６Ｘ１、６Ｘ２同士を一体に結合させることができる。
【００７９】
なお、この電球形蛍光ランプＬ１は、発光管４を取り付けたホルダ３をカバー２に固定し、このカバー２に点灯装置５を取り付けて口金１内に装着固定した後、グローブ６で覆われる。
【００８０】
上記により、点灯装置５をＥ２６形口金内に内蔵し、略キノコ形の螺旋形の発光管４を有し、定格ランプ電力が１０Ｗの電球形蛍光ランプＬ１が構成される。
【００８１】
この電球形蛍光ランプＬ１の寸法は、例えば全長Ｈ１（口金１部を含む）が約１０９ｍｍ、膨出した略球形をなす最大径部Ｄ１が約５５ｍｍである。（図２）
また、この発明が適用できる電球形蛍光ランプＬ１は、全長Ｈ１（口金１部を含む）が１１０ｍｍ以下、膨出した最大径部４ｉの直径寸法Ｄ１が６０ｍｍ以下のものが好ましい。
【００８２】
そして、この電球形蛍光ランプＬ１は、グローブ６を把持して廻すことにより、白熱電球等が装着されるＥ２６形口金対応のソケットへの着脱が行なわれて点灯される。
【００８３】
以上、この電球形蛍光ランプＬ１によれば、白熱電球など一般照明用電球に近似、または同一形状にした外観を有する小型で高効率の電球形蛍光ランプを提供することができる。
【００８４】
これにより、白熱電球式照明器具の光源として、白熱電球に代替可能な汎用性を有する電球形蛍光ランプを提供することができ、照明器具への適用率を一層高めることができ、照明器具の白熱電球の代替として用い、省電力、高効率の照明を提供することができる。
【００８５】
特に、発光管４は、径大な螺旋径部からなる最大径部４ｉを有する略円錐台形の螺旋形部４ａと、螺旋形部の下部に一対の短放電路部４ｂ、４ｃを有し、より一層長い１本の連通した放電路が形成されるので、発光効率を飛躍的に向上させることができる。
【００８６】
グローブ６内面に一体に発光管４の最大径部４ｉおよび頂部４ｆに対向して保持部材６ｆ、６ｇを形成したので、グローブ内に発光管を収容した状態で、保持部材６ｆの柔軟性を有するひだ状部分の先端が発光管の最大径部４ｉの外面に当接し、発光管外面を周囲４箇所で弾性をもって保持し、同時に、発光管４頂部の膨出部に形成された細管４ｗの先端が、頂端部の内面に形成された保持部材６ｇの凹部６ｈ内に嵌合されて保持され、発光管の外面は周囲方向４箇所と頂部の計５箇所で確実に保持することができる。
【００８７】
また、グローブ６は左右に分割され、左、右半分６Ｘ１、６Ｘ２を一体に突き合わせて結合するので、外周方向から内側に向かう挟持する力によって、これらの各保持部材６ｆ、６ｇを保持することができ、より一層、発光管を確実に保持して保持強度を高くすることができる。
【００８８】
これにより、ランプを誤って落下させてしまった場合などに、発光管が破損する恐れがなくなり、強固な電球形蛍光ランプを提供することができる。
【００８９】
特に、保持部材６ｆは、柔軟性を有するようにひだ状部分を形成したので、ガラスバルブからなる発光管の外面を、弾性をもって柔らかく保持することができ、発光管の破損を一層確実に防ぐことができる。
【００９０】
また、保持部材は透光性を有するポリカーボネートからなるグローブと一体に形成したので、色および光の透過率がグローブと同一になり、保持部材がグローブに影となって写りこまれることがなく外観を悪くすることがない。
【００９１】
さらに、外側全体の仮想外形が、略キノコ形をなす発光管４が発光することにより白熱電球のシルエットに近似した配光をもった照明を行うことができる。
【００９２】
さらに、電球の中心部分となる発光管４の螺旋形部４ａは、略円錐台形をなし、螺旋形部の下方に径大な螺旋径部からなる最大径部４ｉを有する形状に構成されているので、長い放電路が確保され光束の増大と発光効率の向上を図ることができ、十分な明るさをもった照明を行うことができる。
【００９３】
特に、特許文献２に示されるような円筒状螺旋形体の場合には、内側に発光した光は発光管自体に閉じこまれる確立が高く、光の利用率が悪いが、本実施例のように発光管が略円錐台形をなしているため、内側に発光した光が閉じこまれることがなく、外側に向けて放射され光の利用率を高めることができる。
【００９４】
さらに、本実施例の発光管は、螺旋形部４ａが略円錐台形をなし、螺旋形部の下方に径大な螺旋径からなる最大径部４ｉを有する形状に構成し、この螺旋終端部から、ガラスバルブの両端部４ｇ、４ｈを下方に向けてほぼ直角に折曲げ、一対２本の短放電路部４ｂ、４ｃを形成したので、例えば、特許文献３に示されるように、格別な金型、機構および工程を必要とせずに、簡素な金型を使用したモールド成形によりガラスバルブを螺旋形に成形することができ、成形作業の容易性を向上させることができる。
【００９５】
また、発光管４は、透光性のグローブ６により覆われているので、乳白色のグローブ６を用いた場合は拡散光が放射されグローブ６の縦方向に形成される接合部６ｊ、６ｋの陰影は薄く外観上はあまり目立つものではない。なお、グローブ６と発光管４との外形の関係は、グローブ６内壁に発光管４の外面が近接ないしは当接する程度の大きさとすることで発光管４の放電路を長くできる。
【００９６】
また、発光管４に膨出した最大径部４ｉがあるので径小な開口端部６ｄを有する通常のグローブは最大径部を挿通できず全体を覆うことができなかったが、分割したグローブの左、右半分６Ｘ１、６Ｘ２を後から接合して組み立て一体化することにより全体を覆うことが可能となった。
【００９７】
そして、このようなグローブ付の電球形蛍光ランプＬ１の構造とすることによって、グローブ６の組み付けが可能であると共に、その作業も容易であり、清掃に手間を要するガラスバルブ４ｄに塵埃が付着することを防止し平滑な表面を有するグローブ６の清掃でよいのでメンテナンスも容易となる。
【００９８】
また、ガラスバルブ４ｄからなる発光管４をグローブ６で覆ってあるので把持がし易く、ソケットに対する着脱が容易で発光管４の破損不良発生を低減できる。
【００９９】
以上、本実施例において、発光管４の螺旋形部４ａは、外観形状を白熱電球のシルエットに近似させるために螺旋形部の下方に径大な螺旋径部からなる最大径部４ｉを形成したが、特許文献２または特許文献３に示すような等しい螺旋径を有する円筒状をなす螺旋形部または略球状をなす螺旋形部を構成し、この螺旋形部に短放電路部４ｂ、４ｃを連接するようにしてもよい。
【０１００】
保持部材６ｆ、６ｇにより、発光管の外面を周囲方向４箇所と頂部の計５箇所で保持したが、保持部材６ｆは周囲方向４箇所でなく１箇所で保持するようにしてもよい。
【０１０１】
また、頂部の保持は省略し、周囲方向のみで保持するようにしてもよい。
【０１０２】
逆に周囲方向の保持は省略し、頂部のみで保持するようにしてもよい。
【０１０３】
保持部材６ｆは、グローブ６の内側面に発光管４の螺旋形部４ａの最大径部４ｉに対向して形成したが、螺旋形部４ａにおける最大径部以外に対向して形成してもよい。
【０１０４】
さらに、保持部材６ｆは、螺旋形部４ａ以外、例えば、図４（ａ）(ｂ)  に示すように、一対の短放電路部４ｂ、４ｃに対向して形成してもよい。これによれば、保持部材６ｆの薄い影がグローブに投影されてしまうような場合に、グローブの目立たない根元部分に形成され外観もよくなる。
【０１０５】
保持部材６ｆは、柔軟性を有するひだ状の薄片として構成したが、柔軟性のない薄片として構成してもよい。またグローブ６の成形時に一体に形成したが、別個にシリコーンなど透明な合成樹脂等で構成した薄片を、グローブ６の内側面の所定位置、若しくは発光管の螺旋形部の外面にシリコーン樹脂等の透明な接着剤で固着するようにしてもよい。
【０１０６】
さらに、図４（ａ）（ｃ）に示すように、発光管４におけるガラスバルブ４ｄの成形時に一体に小さな突出部からなる保持部材６ｆ´を形成し、グローブ６内側面に対向させるようにしてもよい。
【０１０７】
また、２分割されたグローブ６の接合は、シリコーン樹脂等の透明で耐熱性を有する接着剤６２を介して接合しても、超音波溶着等により結合してもよい。
【０１０８】
さらに、横方向（水平方向）に２分割してもよい。この場合は、図２（ａ）に一点鎖線で示すように、グローブの最大径部６ｃの中心線Ｏｂ−Ｏｂを水平分割線として上下に２分割し、上下一対のグローブ６Ｙ１、６Ｙ２を構成してもよい。
【０１０９】
これによれば、水平分割線が発光管４の最大径部４ｉの中心線上近傍にあるので、上下一対のグローブ６Ｙ１、６Ｙ２により発光管４の全体を被覆することができる。
【０１１０】
また、グローブ６は、透光性のポリカーボネートなどの材料を用いて構成したが、ソーダライムガラスなどのガラス材料で構成し専用マシーンなどにより自動的に製造するようにしてもよい。
【０１１１】
以上、上記実施例に示す電球形蛍光ランプＬ１は、例えば図５に示すダウンライトなどの照明器具２０の光源として用いられる。この図５は照明器具２０を断面して示す説明図で、図において２１は器具本体、２２はこの本体２１内に設けられたＥ２６型などの口金１に対応するソケット、２３は反射体で、上記ソケット２２に例えば電球形蛍光ランプＬ１が装着される。
【０１１２】
電球形蛍光ランプＬ１は、白熱電球など一般照明用電球と近似、または同一形状をなしているので、器具の配光を一般照明用電球の配光に近似または同一となすことができ、ソケット２２近傍の反射体２３への光の照射量が充分に確保され、反射体の光学設計とおりの器具特性を得ることができる。
【０１１３】
また、電球形蛍光ランプＬ１の発光管の螺旋形部４ａが図中下方に向いているので、直下照度を向上させることができる。
【０１１４】
このように本発明に関わる電球形蛍光ランプは、白熱電球などの一般照明用電球と同じ外形と、より高い発光特性が得られるとともに一般照明用電球を使用する照明器具２０に装着できるので各種照明器具への適用率を一層高めることができる。
【図面の簡単な説明】
【０１１５】
【図１】本発明の第１の実施形態の電球形蛍光ランプを示し、（ａ）は正面視の縦断面図、（ｂ）は（ａ）におけるＡ部を拡大して示す図、（ｃ）は（ｂ）を上方から見て示した図。
【図２】同じく電球形蛍光ランプを示し、（ａ）は図１（ａ）における左側面視の縦断面図、（ｂ）は（ａ）におけるＢ部を拡大して示す図。
【図３】同じく発光管を示し、（ａ）は正面図、（ｂ）はグローブと発光管の関係を下方から見て示した図。
【図４】同じく変形例を示し、（ａ）は第1の変形例を示す正面視の縦断面図、（ｂ）は（ａ）のＢ部を拡大し上方から見て示した図、（ｃ）は（ａ）のＣ部を拡大して示す図。
【図５】本発明の電球形蛍光ランプを用いた照明器具を断面して示す説明図。
【図６】従来の電球形蛍光ランプを、グローブを断面して示す正面図。
【符号の説明】
【０１１６】
Ｌ１：電球形蛍光ランプ
ｏ−ｏ：旋回軸（ランプ軸）
１：口金
２：カバー
３：ホルダ
４：発光管
４ａ：螺旋形部
４ｂ、４ｃ：短放電路部
４ｄ：バルブ
４ｉ：最大径部
４ｑ、４ｒ：電極
５：点灯装置
６：グローブ
６ｃ：最大径部
６ｄ：開口端部
６ｅ：縮径部
６ｆ、６ｇ：保持部材
２０：照明器具
２１：器具本体
２２：ソケット
【図１】
2008059899.tif 000003
【図２】
2008059899.tif 000004
【図３】
2008059899.tif 000005
【図４】
2008059899.tif 000006
【図５】
2008059899.tif 000007
【図６】
2008059899.tif 000008